(57)【要約】    【課題】  調整した位置や向きがケーブルによってずれないようにしたウェアラブル機器を提供する。    【手段】  眼鏡４０のテンプル４４に装着具２０を取り付け、これにヘッド・マウント・ディスプレイ２を固定している。フレキシブルアーム８を曲げて調整することにより、ヘッド・マウント・ディスプレイ２の可動部６を、装着者の目の前の最適な位置にくるように調整することができる。ヘッド・マウント・ディスプレイ２の固定部４に設けられたＨＤＭＩ（商標）コネクタ１９から、ＨＤＭＩ（商標）ケーブル４５が引き出されている。可動部６ではなく、固定部４からＨＤＭＩ（商標）ケーブル４５を引き出しているので、位置を調整した可動部６が、ＨＤＭＩ（商標）ケーブル４５に引っ張られてずれることがない。【選択図】  図３
2017104219.tif 000002
【特許請求の範囲】
【請求項１】
人体に直接または装着具を介して固定され、映像機器に接続するための外部ケーブルまたは当該外部ケーブルを接続するための接続端子を有する固定部と、
固定部に対して可動となるように固定部に固定され、少なくとも映像光学部を有する可動部と、
一端が前記可動部の映像光学部に直接または処理回路を介して接続され、他端が前記固定部の前記接続端子または前記外部ケーブルに、直接または処理回路を介して接続された、電源または信号のための連結ケーブルと、
を備えたウェアラブル機器。
【請求項２】
人体に直接または装着具を介して固定され、映像機器に接続するための外部ケーブルが引き出された固定部と、
固定部に対して可動となるように固定部に固定され、少なくとも映像光学部を有する可動部と、
一端が前記可動部の映像光学部に直接または処理回路を介して接続され、他端が前記固定部の前記接続端子または前記外部ケーブルに、直接または処理回路を介して接続された、電源または信号のための連結ケーブルと、
前記外部ケーブルに接続されたコネクタ端子であって、留め具を有するコネクタ端子と、
を備えたウェアラブル機器。
【請求項３】
請求項１または２ののウェアラブル機器において、
前記可動部は、先端部と後端部の中間部において、可動連結部を介して、固定部に固定されていることを特徴とするウェアラブル機器。
【請求項４】
請求項１〜３のいずれかのウェアラブル機器において、
前記映像光学部は、ディスプレイまたはカメラであることを特徴とするウェアラブル機器。
【請求項５】
請求項１〜４のいずれかのウェアラブル機器において、
前記可動部は、前記固定部に対し、コイル状のフレキシブルアームによって可動となるように固定されており、
前記連結ケーブルは、当該フレキシブルアームのコイルの中空部分に配置されることを特徴とするウェアラブル機器。
【請求項６】
請求項１〜５のいずれかのウェアラブル機器において、
前記固定部は、眼鏡に固定された装着具に固定するための固定手段を有することを特徴とするウェアラブル機器。
【請求項７】
請求項１〜５のいずれかのウェアラブル機器において、
前記固定部は、眼鏡に固定するための固定手段を有することを特徴とするウェアラブル機器。
【請求項８】
人体に直接または装着具を介して固定され、外部機器に接続するための外部ケーブルまたは当該外部ケーブルを接続するための接続端子を有する固定部と、
固定部に対して可動となるように固定部に固定され、位置調整が必要な機器を有する可動部と、
一端が前記可動部の位置調整必要機器に直接または処理回路を介して接続され、他端が前記固定部の前記接続端子または前記外部ケーブルに、直接または処理回路を介して接続された、電源または信号のための連結ケーブルと、
を備えたウェアラブル機器。
【請求項９】
人体に直接または装着具を介して固定され、映像機器に接続するための外部ケーブルが引き出された固定部と、
固定部に対して可動となるように固定部に固定され、位置調整が必要な機器を有する可動部と、
一端が前記可動部の位置調整必要機器に直接または処理回路を介して接続され、他端が前記固定部の前記接続端子または前記外部ケーブルに、直接または処理回路を介して接続された、電源または信号のための連結ケーブルと、
前記外部ケーブルに接続されたコネクタ端子であって、留め具を有するコネクタ端子と、
を備えたウェアラブル機器。
【請求項１０】
可動連結部を介して固定部に可動的に固定された可動部に設けられた位置調整必要機器から、直接または処理回路を介して、ケーブルを引き出すケーブル引出方法であって、
前記ケーブルを、可動連結部、固定部を介して、外部に引き出すことを特徴とするケーブル引出方法。
【請求項１１】
可動連結部を介して固定部に可動的に固定された可動部に設けられた位置調整必要機器から、直接または処理回路を介して、ケーブルを引き出すケーブル引出方法であって、
前記ケーブルを、可動連結部、固定部を介して、外部に引き出すとともに、ケーブルの先端部を留め具によって留めることを特徴とするケーブル引出方法。
【発明の詳細な説明】
【技術分野】
【０００１】
この発明は、ウェアラブル機器からのケーブルの引き出しに関するものである。
【背景技術】
【０００２】
ウェアラブル・コンピュータ、ウェアラブル・ディスプレイ、ウェアラブル・カメラなどのウェアラブル機器は、多くの場合電池駆動であり、しかも、外部の機器との接続を必要としないこともある。【０００３】
しかしながら、外部機器からの画像信号を受けてこれを表示したり、撮像した画像を外部機器において表示したりすることもあり、このような場合には、外部の機器との間でケーブルを接続する必要がある。また、長時間駆動のため電源を外部から供給するために、電源ケーブルを接続する必要が生じる場合もある。
【発明の概要】
【発明が解決しようとする課題】
【０００４】
しかしながら、上記のようなケーブルを引き出したウェアラブル機器には、次のような問題点があった。【０００５】
カメラやヘッド・マウント・ディスプレイなどは、その位置や向きを細かく調整する必要があり、可動状態にて取り付けられることが多い。このような場合、最適な状態に調整した位置や向きが、使用中に、上記引き出したケーブルに引っ張られて、ずれてしまうという問題があった。【０００６】
このような問題は、ウェアラブル機器だけでなく可動部を有する機器全般にいえるものであった。たとえば、日本特許５２３０３４６号公報には、可動部分を有する機器において、可動部分からケーブルを引き出す構造が開示されている。しかし、この日本特許５２３０３４６号においては、上記の問題を解決できなかった。【０００７】
この発明は、上記のような問題点を解決して、調整した位置や向きがケーブルによってずれないようにしたウェアラブル機器を提供することを目的とする。
【課題を解決するための手段】
【０００８】
この発明の独立して適用可能ないくつかの特徴を以下に列挙する。【０００９】
(1)この発明に係るウエアラブル機器は、人体に直接または装着具を介して固定され、映像機器に接続するための外部ケーブルまたは当該外部ケーブルを接続するための接続端子を有する固定部と、固定部に対して可動となるように固定部に固定され、少なくとも映像光学部を有する可動部と、一端が前記可動部の映像光学部に直接または処理回路を介して接続され、他端が前記固定部の前記接続端子または前記外部ケーブルに、直接または処理回路を介して接続された、電源または信号のための連結ケーブルとを備えている。【００１０】
したがって、可動部の映像光学部の位置を調整することができ、その調整位置が外部ケーブルによってずれることを防止することができる。【００１１】
(2)この発明に係るウェアラブル機器は、人体に直接または装着具を介して固定され、映像機器に接続するための外部ケーブルが引き出された固定部と、固定部に対して可動となるように固定部に固定され、少なくとも映像光学部を有する可動部と、一端が前記可動部の映像光学部に直接または処理回路を介して接続され、他端が前記固定部の前記接続端子または前記外部ケーブルに、直接または処理回路を介して接続された、電源または信号のための連結ケーブルと、前記外部ケーブルに接続されたコネクタ端子であって、留め具を有するコネクタ端子とを備えている。【００１２】
したがって、可動部の映像光学部の位置を調整することができ、その調整位置が外部ケーブルによってずれることを防止することができる。【００１３】
(3)この発明に係るウェアラブル機器は、可動部が、先端部と後端部の中間部において、可動連結部を介して、固定部に固定されていることを特徴としている。【００１４】
したがって、可動部の調整位置を保持することが容易である。【００１５】
(4)この発明に係るウエアラブル機器は、映像光学部が、ディスプレイまたはカメラであることを特徴としている。【００１６】
したがって、詳細な位置調整が必要であるディスプレイ、カメラの位置を安定させることができる。【００１７】
(5)この発明に係るウエアラブル機器は、可動部が、前記固定部に対し、コイル状のフレキシブルアームによって可動となるように固定されており、前記連結ケーブルは、当該フレキシブルアームのコイルの中空部分に配置されることを特徴としている。【００１８】
したがって、連結ケーブルが外部に露出せず、引っかかるおそれがない。【００１９】
(6)この発明に係るウエアラブル機器は、固定部が、眼鏡に固定された装着具に固定するための固定手段を有することを特徴としている。【００２０】
したがって、装着具を介して眼鏡に取り付けることができる。【００２１】
(7)この発明に係るウエアラブル機器は、固定部が、眼鏡に固定するための固定手段を有することを特徴としている。【００２２】
したがって、直接、眼鏡に取り付けることができる。【００２３】
(8)この発明に係るウエアラブル機器は、人体に直接または装着具を介して固定され、外部機器に接続するための外部ケーブルまたは当該外部ケーブルを接続するための接続端子を有する固定部と、固定部に対して可動となるように固定部に固定され、位置調整が必要な機器を有する可動部と、一端が前記可動部の位置調整必要機器に直接または処理回路を介して接続され、他端が前記固定部の前記接続端子または前記外部ケーブルに、直接または処理回路を介して接続された、電源または信号のための連結ケーブルとを備えている。【００２４】
したがって、可動部の位置を調整することができ、その調整位置が外部ケーブルによってずれることを防止することができる。【００２５】
(9)この発明に係るウェアラブル機器は、人体に直接または装着具を介して固定され、映像機器に接続するための外部ケーブルが引き出された固定部と、固定部に対して可動となるように固定部に固定され、位置調整が必要な機器を有する可動部と、一端が前記可動部の位置調整必要機器に直接または処理回路を介して接続され、他端が前記固定部の前記接続端子または前記外部ケーブルに、直接または処理回路を介して接続された、電源または信号のための連結ケーブルと、前記外部ケーブルに接続されたコネクタ端子であって、留め具を有するコネクタ端子とを備えている。【００２６】
したがって、可動部の位置を調整することができ、その調整位置が外部ケーブルによってずれることを防止することができる。【００２７】
(10)この発明に係るケーブル引き出し方法は、可動連結部を介して固定部に可動的に固定された可動部に設けられた位置調整必要機器から、直接または処理回路を介して、ケーブルを引き出すケーブル引出方法であって、前記ケーブルを、可動連結部、可動部を介して、外部に引き出すことを特徴としている。【００２８】
したがって、可動部の位置を調整することができ、その調整位置が外部ケーブルによってずれることを防止することができる。【００２９】
(11)この発明に係るケーブル引き出し方式は、可動連結部を介して固定部に可動的に固定された可動部に設けられた位置調整必要機器から、直接または処理回路を介して、ケーブルを引き出すケーブル引出方法であって、前記ケーブルを、可動連結部、固定部を介して、外部に引き出すとともに、ケーブルの先端部を留め具によって留めることを特徴としている。【００３０】
したがって、可動部の位置を調整することができ、その調整位置が外部ケーブルによってずれることを防止することができる。
【図面の簡単な説明】
【００３１】
【図１】この発明の一実施形態によるヘッドマウント・ディスプレイ２の外観を示す図である。
【図２】この発明の一実施形態によるヘッドマウント・ディスプレイ２の外観を示す図である。
【図３】ヘッドマウント・ディスプレイ２を装着した状態を示す図である。
【図４】図４Ａはガイド部材１４、図４Ｂは取り付けガイド３０の詳細を示す図である。
【図５】装着具２０の詳細を示す図である。
【図６】光学部３５の詳細を示す図である。
【図７】ヘッドマウント・ディスプレイ２の内部構造を示す図である。
【図８】フレキシブルアーム８を曲げた状態を示す図である。
【図９】フレキシブルアーム８の構造を示す図である。
【図１０】図１０ａはチューブ９０の外観を示す図、図１０ｂはチューブ９０の断面を示す図である。
【図１１】固定部４の内部構造を示す図である。
【図１２】図１２ａ、図１２ｂ、図１２ｃは、フレキシブルアーム８の取り付け状態を示す図である。
【図１３】フレキシブルアーム８を取り付けた状態における固定部４の内部構造を示す図である。
【図１４】他の実施形態によるヘッドマウント・ディスプレイ２の外観を示す図である。
【図１５】図１４のヘッドマウント・ディスプレイ２を、眼鏡４０に取り付けた状態を示す図である。
【図１６】第２の実施形態によるヘッドマウント・ディスプレイ２の外観を示す図である。
【図１７】ヘッドマウント・ディスプレイ２を装着した状態を示す図である。
【発明を実施するための形態】
【００３２】
１．第１の実施形態
図１に、この発明の一実施形態によるヘッド・マウント・ディスプレイ２を示す。このヘッド・マウント・ディスプレイ２は、固定部４、可動部６、フレキシブルアーム８を備えている。固定部４には、ＨＤＭＩ（商標）コネクタ１９が設けられている。可動部６には、ディスプレイのプリズム１２が設けられている。可動部６は、プリズム１２を遮光的に覆っており、装着者の目に対向する側にのみ開口を有する。これにより、外光の影響を避けて、鮮明な画像を得ることができる。
【００３３】
可動部６の中央部（端部ではない）にはアーム固定部１７が設けられ、固定部４の先端部にはアーム固定部１５が設けられている。アーム固定部１５とアーム固定部１７との間には、フレキシブルアーム８が設けられている。フレキシブルアーム８を曲げることにより、可動部６のプリズム１２の位置や角度を変更することができる。
【００３４】
図２に、ヘッド・マウント・ディスプレイ２の背面側を示す。固定部４には、このヘッド・マウント・ディスプレイ２を装着具（図示せず）に固定するためのガイド部材１４が設けられている。ガイド部材１４の断面を図４Ａに示す。両側に取付のための凸部２１、２３が設けられている。
【００３５】
図３に示すように、このヘッド・マウント・ディスプレイ２は、装着具２０を介して眼鏡４０に取り付けて使用するものである。
【００３６】
装着具２０の詳細を、図５に示す。装着具２０は、金属製のＵ字バンド２２と、Ｕ字バンド２２の先端に取り付けられた合成樹脂製の保持部材２４を備えている。保持部材２４の後端には結合部２８が設けられ、Ｕ字バンド２２の先端が摺動可能に挿入されている。Ｕ字バンド２２を摺動させ、装着者の首の後ろ側にＵ字バンド２２が当接して、しっかりとした装着状態を実現できるようにしている。保持部材２４の先端には、下側が開放されたＵ字状に形成された挟持部２６が形成されている。また、保持部材２４の側面には、取り付けガイド３０が形成されている。
【００３７】
取り付けガイド３０の断面を、図４Ｂに示す。両側に凹部２５、２７が設けられている。この凹部２５、２７に、ヘッド・マウント・ディスプレイ２のガイド部材１４の凸部２１、２３を勘合させてスライドさせることにより、ヘッド・マウント・ディスプレイ２を、装着具２０に固定することができる。
【００３８】
図３に示すように、眼鏡４０のテンプル４４に、装着具２０の挟持部２６を上部から挟み込み、装着具２０を眼鏡４０に固定している。さらに、装着具２０の取付ガイド３０に、ヘッド・マウント・ディスプレイ２のガイド部材１４をスライドしてはめ込み、固定するようにしている。このようにして、眼鏡４０のテンプル４４に装着具２０を取り付け、これにヘッド・マウント・ディスプレイ２を固定することができる。また、ヘッド・マウント・ディスプレイ２の固定部４に設けられたＨＤＭＩ（商標）コネクタ１９に、ＨＤＭＩ（商標）ケーブル４５が接続される。
【００３９】
フレキシブルアーム８を曲げて調整することにより、ヘッド・マウント・ディスプレイ２のプリズム１２が、装着者の目の前の最適な位置にくるように調整することができる。
【００４０】
図６に、可動部６に収納されている光学部３５の詳細を示す。透明液晶ディスプレイ３１の背面にはバックライト３３が設けられている。透明液晶ディスプレイ３１の前面にはプリズム１２が設けられ、装着者の目に画像光を導くようにしている。すなわち、透明液晶ディスプレイ３１、バックライト３３によって生成された画像は、プリズム１２の反射部１２ａによって反射され、装着者の目に導かれる。
【００４１】
図７に、ヘッド・マウント・ディスプレイ２の内部構造を示す。外部機器である画像出力機器３９の画像信号は、ＨＤＭＩ（商標）ケーブル４５を経て、ＨＤＭＩ（商標）コネクタ１９に接続されている。さらに、画像信号は、ＨＤＭＩ（商標）コネクタ１９を経て、連結ケーブル４３に導かれている。
【００４２】
連結ケーブル４３は、固定部４を経て、フレキシブルアーム８のコイル８０の中空部を通って、可動部６に導かれている。可動部６に導かれた連結ケーブル４３は、映像信号処理回路３７に与えられる。表示のために処理された画像信号は、ケーブル４１を介して、光学部３５に与えられる。
【００４３】
このヘッド・マウント・ディスプレイ２は、図８に示すように、フレキシブルアーム８を曲げることにより、可動部６の姿勢を自在に変えることができる。
【００４４】
この実施形態では、可動部６からケーブル４３を引き出さず、固定部４から引き出すようにしている。したがって、フレキシブルアーム８を曲げて調整した位置が、ケーブル４３に引っ張られてずれることがない。
【００４５】
また、この実施形態では、映像信号処理回路３７を可動部６に収納するようにしている。これにより、固定部４を小さくすることが可能となり、取り付け位置の自由度を上げることができる。また、回路設計上、光学部３５の近くにディスプレイドライバを含む映像信号処理回路３７を置く方が、小型化を図ることができる。
【００４６】
また、この実施形態では、可動部６の後端部ではなく、中央部にフレキシブルアーム８を設けている。したがって、可動部６の重心近くにフレキシブルアーム８を設けることができ、曲げ調整後の位置を安定的に保持することが容易である。
【００４７】
このフレキシブルアーム８は、図９に示すように、コイル８０とその外周に設けられたチューブ９０を備えて構成されている。
【００４８】
コイル８０は、横断面丸形の線材（ＳＵＳ３０４ＷＰＢ）８２と横断面三角形のＳＵＳ線材（ＳＵＳ３０４）８４の二条コイルとして形成されている。この実施形態では、線材８２の直径を０．８mm、線材８４の一辺を１．０mmとした。隣接するＳＵＳ線材（バネ材）８２とＳＵＳ線材（バネ材）８４は、互いに接している。横断面三角形のＳＵＳ線材８４は、三角形の一辺が外周に沿うように配置されており、内部に向かうにしたがって幅が狭くなるようになっている（逆にしてもよい）。コイル８０の中空部８６には、ケーブル４３（たとえば、細線同軸ケーブルとすることができる）が挿入される。
【００４９】
コイル８０の外周には、シリコン製のチューブ９０が接するように設けられている。この実施形態では、コイル８０の外径５４mmに対し、自然状態における内径５０mmのチューブ９０を用いている。このように、コイル８０の外径を、チューブ９０の内径よりも僅かに大きく（チューブ直径の５％〜１５％程度）しておくことで、チューブ９０がコイル８０の外周に密着する。
【００５０】
さらに、この実施形態では、チューブ９０を自然状態から図９のＡ方向に伸張させた状態にて、コイル８０に密着させている。これにより、可撓性のあるチューブ９０が収縮しようとするので、コイル８０に対して圧縮する方向に力を加えることができる。
【００５１】
図１０ａに、チューブ９０の詳細を示す。この実施形態では、柔軟性のあるシリコンを成型することによってチューブ９０を構成している。一端には、フランジ９２が設けられている。他端側にも、フランジ９４が設けられている。
【００５２】
図１０ｂにその横断面図を示す。フランジ９４が設けられた側の端部においては、中空部の直径が小さく形成されたストッパ部９６が設けられ、コイル８０が脱落するのを防止する。
【００５３】
図１１に固定部４の内部構造（蓋を取った状態）を示す。固定部４には、チューブ９０のフランジ９２を差し込むための凹部１００が設けられている。図示していないが、蓋の側にも同様の凹部が設けられている。凹部１００に隣接して、ストッパ１１０が設けられている。このストッパ１１０は、フレキシブルアーム８を取り付けた際に、中のコイル８０を所定の位置に保持するためのものである。
【００５４】
また、可動部６にも、チューブ９０のフランジ９４を差し込むための凹部（図示せず）が設けられている。この凹部は、固定部４と同様の形状である。蓋の側にも同様の凹部が設けられている。なお、可動部６には、ストッパ１１０は設けなくともよい。
【００５５】
次に、この固定部４と可動部６に、フレキシブルアーム８を取り付ける手順を示す。まず、図１２ａに示すように、コイル８０をチューブ９０の中に収納する。この際、コイル８０の一端が、チューブ９０のストッパ部９６に当接するまで挿入する。
【００５６】
この実施形態では、チューブ９０の長さＬＴ（たとえば５０mm）よりも、コイル８０の長さＬＣ（たとえば６０mm）を長くしている（チューブ９０全長の１０％〜５０％程度長くする）ので、図１２ａに示すように、コイル８０が飛び出した状態となる。図１２ｂに示すように、このままの状態で、チューブ９０のフランジ９４を、可動部６の凹部１０２に填め込んで固定し、コイル８０の他端側を固定部４のストッパ１１０に当接させると、チューブ９０のフランジ９２が、固定部４の凹部１００に填まらないことになる。
【００５７】
したがって、図１２ｃに示すように、チューブ９０を矢印Ｂの方向に引っ張った上で、チューブ９０のフランジ９２を、固定部４の凹部１００にはめ込むようにしている。そして、同じく凹部の設けられた蓋を被せる。
【００５８】
このようにして取り付けた固定部４側の状態を示すのが、図１３である。なお、図１３においては、蓋を省略している。可動部６側も同様にフレキシブルアーム８のチューブ９０が取り付けられる。
【００５９】
この実施形態では、横断面丸形の線材と横断面三角形の線材が隣接するように二条コイルとしているので、図８に示すように、フレキシブルアーム８を曲げた際に、その曲げ状態を維持できる度合いが高くなる。これは、丸形と丸形の線材が隣接したコイルよりも、丸形と三角形の線材が隣接したコイルの方が、曲げた際の戻り抵抗が大きく、曲げ状態を維持できるからである。さらに、チューブ９０の内径をコイル８０の外径よりも小さくし、さらに、チューブ９０を伸張させた状態でコイル８０に密着させているので、曲げ状態を維持することができる。
【００６０】
したがって、角度や位置を容易に調整でき、調整した位置を保持することができるという効果がある。なお、チューブ９０の内径をコイル８０の外径よりも小さくすること（径方向に力を働かせること）あるいは、チューブ９０を伸張させた状態でコイル８０に密着させること（隣接する線材が圧縮する方向に力を働かせること）は、それぞれ、一方だけを実施するようにしてもよい。
【００６１】
上記実施形態においては、コイル８０として二条コイルを用いているが、一条コイルを用いるようにしてもよい。この場合であっても、チューブ９０の密着・伸張による、曲げ維持効果を得ることができる。
【００６２】
また、二条コイルではなく、三条以上の多条コイルを用いるようにしてもよい。ただし、この場合であっても、隣接する線材が、丸形と三角形になるようにコイルを巻回することが好ましい。
【００６３】
上記実施形態では、丸形と三角形の線材を用いてコイル８０を構成している。しかし、丸形と四角形以上の多角形の線材を用いるようにしてもよい。あるいは、多角形ではない角形（台形、平行四辺形など）を用いるようにしてもよい。
【００６４】
上記実施形態では、チューブ９０によってコイル８０を圧縮する方向の力を加えるようにしている。しかし、コイル８０の両端に固定された、縮む方向に付勢された付勢手段（可撓性部材、バネ材など）を設けるようにしてもよい。
【００６５】
上記実施形態では、ヘッドマウントディスプレイにフレキシブルアーム８を適用した場合について説明した。しかし、医療機器、家電機器、産業用機器など、曲げによって位置調整を行う必要のある部分に適用することができる。特に、カメラ、ディスプレイ、センサなど、その位置を調整することが必要な部位に用いると効果が高い。
【００６６】
上記実施形態では、装着具２０を介して、ヘッドマウント・ディスプレイ２を眼鏡４０に装着するようにしている。しかし、ヘッドマウント・ディスプレイ２を、直接、眼鏡４０に装着するようにしてもよい。この場合の、ヘッドマウントディスプレイ２の構成例を、図１４に示す。
【００６７】
固定部４には、アタッチメント１５０が設けられている。アタッチメント１５０は、軸１５４を中心として外側に開くように構成されている。内部には、シリコン材など柔軟性のある保持部材１５２が設けられている。
【００６８】
このヘッドマウント・ディスプレイ２を装着する場合には、図１５に示すように、アタッチメント１５０によって、眼鏡４０のテンプル４４に挟み込む。このとき、アタッチメント１５０を開いてテンプル４４を入れた後に閉じることで、確実に挟み込むことができる。
【００６９】
上記実施形態では、可動部６の側に映像信号処理回路３７を設けるようにしている。しかし、固定部４に設けるようにしてもよい。また、映像信号処理回路３７を２つに分離し、固定部４と可動部６の双方に設けるようにしてもよい。
【００７０】
上記実施形態では、ＨＤＭＩ（商標）ケーブル４５を用いた場合について説明したが、その他の規格のケーブル（ＲＧＢケーブルなど）などを用いてもよい。この場合、ＨＤＭＩ（商標）コネクタ１９に代えて、当該規格に対応するコネクタ（ＲＧＢコネクタなど）などを用いるようにすればよい。
【００７１】
また、上記実施形態では、電源および信号を伝送する連結ケーブル４３を用いているが、電源のみ、信号のみを伝送する連結ケーブル４３を用いるようにしてもよい。たとえば、固定部４に電池を内蔵しており外部からの電源供給が必要でない場合には、ＨＤＭＩ（商標）ケーブル４５に代えて信号のみを伝送する規格のケーブルを用い、連結ケーブル４３も信号のみを伝送するものでよい。また、外部から電源供給のみが必要である場合には、ＨＤＭＩ（商標）ケーブル４５に代えて電源ケーブルを用い、連結ケーブル４３も電源のみを伝送するものでよい。
【００７２】
上記実施形態では、可動部６の後端部でない中央部（先端部と後端部の間）に、フレキシブルアーム８を設けている。しかし、可動部６の後端部にフレキシブルアーム８を設けるようにしてもよい。
【００７３】
上記実施形態では、固定部４にコネクタ１９を設けて、これにケーブルを接続するようにしている。しかし、コネクタ１９を設けずに、固定部４から直接的にケーブルを外部に引き出すようにしてもよい。
【００７４】
上記実施形態では、コイル８０の中に連結ケーブル４３を通している。しかし、コイル８０の外側を通すようにしてもよい。
【００７５】
上記実施形態では、眼鏡４０に取り付ける場合について説明した。しかし、眼鏡以外の人体に装着された部位に取り付けるようにしてもよい。また、人体に直接取り付けるようにしてもよい。さらに、人体以外に取り付ける場合や、他のものに取り付けることなく単独で用いる場合にも適用することができる。
【００７６】
上記実施形態では、可動部６にディスプレイを設けた場合について説明したが、カメラ、プロジェクターなど他の光学機器を設けてもよい。また、光学機器の他、位置調整が必要な機器全般に適用することができる。さらに、上記実施形態では、本発明をウエアラブル機器に適用した場合について説明したが、コード引き出しが必要であって、位置調整が必要な機器全般に適用することができる。
【００７７】
上記実施形態では、フレキシブルアーム８を可動連結部として、可動部６の位置や姿勢を変えることができるようにしている。しかし、リンク機構など、その他の構造を可動連結部とし、位置や姿勢を変えることができるようにしてもよい。この場合においても、本発明のコード引き出し方式を適用することができる。
【００７８】
第１の実施形態および変形例は、その本質に反しない限り、第２の実施形態と組み合わせて実施することが可能である。
【００７９】
２．第２の実施形態
図１６に、第２の実施形態によるヘッド・マウント・ディスプレイ２を示す。このヘッド・マウント・ディスプレイ２は、固定部４、可動部６、フレキシブルアーム８を備えている。固定部４からはケーブル４５が引き出されている。ケーブル４５の先端部には、ＨＤＭＩ（商標）コネクタ１９０が設けられている。このＨＤＭＩ（商標）コネクタ１９０には、留め具としてのクリップ１９２が設けられている。クリップ１９２の後端部１９４を押すと、バネ１９８に抗って先端部１９６が上に上がる。したがって、クリップ１９２により、ＨＤＭＩ（商標）コネクタ１９０を、服の襟、メガネのフレームなどに留めることができる。
【００８０】
固定部４には、装着具２０に固定するためのガイド部材１４が設けられている。このガイド部材１４の構成は、第１の実施形態と同様である。
【００８１】
可動部６には、ディスプレイのプリズム１２が設けられている。可動部６の後端部と固定部４の先端部との間は、フレキシブルアーム８によって接続されている。フレキシブルアーム８を曲げることにより、可動部６のプリズム１２の位置や角度を変更することができる。
【００８２】
この実施形態では、可動部６にディスプレイドライバ回路、固定部４にその他の映像信号処理回路が設けられている。フレキシブルアーム８の中には、これらを結ぶ連結ケーブルや電源ケーブルが収納されている。なお、固定部４にディスプレイドライバ回路を収納するようにしてもよい。
【００８３】
図１７に、このヘッドマウントディスプレイ２を装着した例を示す。メガネ４０に、装着具２０を介して、ヘッドマウントディスプレイ２が装着されている。この例では、ＨＤＭＩ（商標）コネクタ１９０を装着者のスーツの襟に留めている。ＨＤＭＩ（商標）コネクタ１９０には、ＨＤＭＩ（商標）コネクタ（オス）１８５によって、映像出力機器（たとえば、コンピュータ）が接続されている。この例では、映像出力機器は、装着者のスーツの内ポケットの収納されている。
【００８４】
このように、ＨＤＭＩ（商標）コネクタ１９０自体がクリップ１９２によって固定可能である。したがって、ＨＤＭＩ（商標）コネクタ１９０を介して接続された機器の重さの影響を受けてケーブル４５が引っ張られ、プリズム１２と目の位置がずれてしまうおそれがない。
【００８５】
上記実施形態では、映像出力機器としてスーツの内ポケットに収納したウエアラブルコンピュータを、ＨＤＭＩ（商標）ケーブルによって接続するようにしている。しかし、首から吊り下げたウエアラブルコンピュータなどを接続するようにしてもよい。また、装着者のヘルメットやメガネ４０に取り付けたウェアラブルカメラを接続するようにしてもよい。さらに、スマートホンを接続するようにしてもよい。
【００８６】
なお、いくつかの機器を切り換え可能に接続する切替器を接続するようにしてもよい。
【００８７】
また、上記実施形態では、ＨＤＭＩ（商標）コネクタのオスを、ケーブル４５の先端に設けている。しかし、ＨＤＭＩ（商標）コネクタのメスを設けるようにしてもよい。さらに、ＨＤＭＩ（商標）コネクタに代えて、マイクロＨＤＭＩ（商標）コネクタやＵＳＢコネクタなどを設けるようにしてもよい。
【００８８】
上記実施形態では、ＨＤＭＩ（商標）コネクタ１９０に、ＨＤＭＩケーブルを介して映像出力機器を接続するようにしている。しかし、ＨＤＭＩ（商標）コネクタ１９０に無線レシーバなどを装着し、映像出力機器と無線接続するようにしてもよい。
【００８９】
上記実施形態では、可動部６にディスプレイを設け、ＨＤＭＩ（商標）コネクタ１９０を介して映像出力機器を接続するようにしている。しかし、センサやカメラなど位置調節が必要な機器を可動部６に設けるようにしてもよい。この場合、コネクタ１９０（ＨＤＭＩ（商標）である必要はない）を介して接続する機器は、映像出力機器には限らない。映像処理機器やウエアラブルコンピュータであってもよい。
【００９０】
また、可動部６および固定部４にディスプレイを有するウェアラブルコンピュータを収納するようにしてもよい。
【００９１】
第２の実施形態および変形例は、その本質に反しない限り、第１の実施形態と組み合わせて実施することが可能である。
【図１】
2017104219.tif 000003
【図２】
2017104219.tif 000004
【図３】
2017104219.tif 000005
【図４】
2017104219.tif 000006
【図５】
2017104219.tif 000007
【図６】
2017104219.tif 000008
【図７】
2017104219.tif 000009
【図８】
2017104219.tif 000010
【図９】
2017104219.tif 000011
【図１０】
2017104219.tif 000012
【図１１】
2017104219.tif 000013
【図１２】
2017104219.tif 000014
【図１３】
2017104219.tif 000015
【図１４】
2017104219.tif 000016
【図１５】
2017104219.tif 000017
【図１６】
2017104219.tif 000018
【図１７】
2017104219.tif 000019
【国際調査報告】
2017104219.tif 000020
2017104219.tif 000021
2017104219.tif 000022